(57)【要約】【課題】本発明は、荷物の輸送を行う際に使用するパレットの所在を管理する方法に関するものである。【解決手段】パレットに設置したＩＤタグに対して情報の読み込み書き込みを無線で行うリーダライタとそれぞれ接続する出荷者端末と入荷者端末とにネットワークを介して接続するサーバ装置を用いたパレット管理方法であり、出荷者は、出荷時、パレット回収時に、出荷者端末とリーダライタを用いてパレットのＩＤタグの記憶部の情報を書き換え、入荷者は入荷時に入荷者端末とリーダライタを用いてパレットのＩＤタグの記憶部の情報を読み込み、これら出荷者端末、及び入荷者端末が得た情報をサーバ装置の記憶部に記憶する。【選択図】図１
2004149230.tif 000002
【特許請求の範囲】
【請求項１】
パレットに設置したＩＤタグに対して情報の読み込み書き込みを無線で行うリーダライタとそれぞれ接続する出荷者端末と入荷者端末とにネットワークを介して接続するサーバ装置を用いたパレット管理方法であり、出荷者は、出荷時に前記出荷者端末で前記サーバ装置の記憶部から荷物情報を読み出し、リーダライタを介して前記パレットのＩＤタグに荷物情報を書き込むと共にリーダライタを介してＩＤタグの記憶部が記憶するパレット識別情報を読み取り、前記サーバ装置の記憶部に前記出荷情報と関連付けて記憶し、入荷者は入荷時に入荷者端末で前記リーダライタを介してＩＤタグの記憶部が記憶するパレット識別情報と荷物情報を読み取り、前記サーバ装置の記憶部が記憶するパレット識別情報と荷物情報と照合し、合致したパレット識別情報、荷物情報と関連付けて入荷者端末の記憶部が記憶する受取情報を記憶させ、出荷者はパレット回収時に出荷者端末でＩＤタグの記憶部が記憶する荷物情報をリーダライタを介して消去すると共にＩＤタグの記憶部が記憶するパレット識別情報を読み取り、前記サーバ装置の記憶部が記憶するパレット識別情報と照合し、合致する情報に関連付けて記憶していた荷物情報を消去し、出荷者端末が記憶するパレット回収情報をパレット識別情報と関連付けて記憶部に記憶することを特徴とするパレット管理方法。
【発明の詳細な説明】
【０００１】
【発明の属する技術分野】
本発明は、荷物の輸送を行う際に使用するパレットの所在を管理する方法に関するものである。
【０００２】
【従来の技術】
サプライヤーから発注者へのように製品を輸送する際に、製品を有る単位でまとめ、パレット上に置き、パレットごと輸送する方法は通常行われている。ただしこのパレットは汎用性のあるものであり、Ａ社からＢ社へ納めたパレットが、Ａ社へは戻らずにＢ社からＣ社へ輸送されてしまうなどという事もおこっていた。パレットはコストがかかるため、パレットを最初に導入し使用する会社にとっては一度輸送したパレットを回収し再使用することが必要になってくる。そこでこのパレット管理を行うために従来ではパレットに会社名、番号を付し、出荷時に荷物リストにこの対応するパレット番号を記入し、回収時にこの番号を確認しチェックするという方法を取っていた。
【０００３】
【発明が解決しようとする課題】
従来のパレット管理方法ではパレットの数が膨大であり、また荷物情報も膨大であるためその作業は困難を極め、また出荷時の忙しい時にこれら作業を行うことが実質的に不可能であったり、さらにこのような方法を行えたとしても記入漏れや誤記もあり、実際はパレットの回収に有効に機能していなかった。
【０００４】
そこで本発明は、上記問題点を解消し、ＩＤタグ、コンピュータシステムを用いて、迅速かつ確実にパレットの管理が行え、しかも入荷者とも情報の連携がとれるパレット管理方法を提供する。
【０００５】
【課題を解決するための手段】
本発明は、パレットに設置したＩＤタグに対して情報の読み込み書き込みを無線で行うリーダライタとそれぞれ接続する出荷者端末と入荷者端末とにネットワークを介して接続するサーバ装置を用いたパレット管理方法であり、出荷者は、出荷時に前記出荷者端末で前記サーバ装置の記憶部から荷物情報を読み出し、リーダライタを介して前記パレットのＩＤタグに荷物情報を書き込むと共にリーダライタを介してＩＤタグの記憶部が記憶するパレット識別情報を読み取り、前記サーバ装置の記憶部に前記出荷情報と関連付けて記憶し、入荷者は入荷時に入荷者端末で前記リーダライタを介してＩＤタグの記憶部が記憶するパレット識別情報と荷物情報を読み取り、前記サーバ装置の記憶部が記憶するパレット識別情報と荷物情報と照合し、合致したパレット識別情報、荷物情報と関連付けて入荷者端末の記憶部が記憶する受取情報を記憶させ、出荷者はパレット回収時に出荷者端末でＩＤタグの記憶部が記憶する荷物情報をリーダライタを介して消去すると共にＩＤタグの記憶部が記憶するパレット識別情報を読み取り、前記サーバ装置の記憶部が記憶するパレット識別情報と照合し、合致する情報に関連付けて記憶していた荷物情報を消去し、出荷者端末が記憶するパレット回収情報をパレット識別情報と関連付けて記憶部に記憶することを特徴とするパレット管理方法である。
【０００６】
【発明の実施の形態】
本発明の１実施例を図１に示すシステム構成図、図２に示すサーバ装置の記憶部のデータ構造図に従い説明する。本発明に用いるパレットはＩＤタグを設置してある。ＩＤタグの設置は貼り付け、埋設等公知の手段で行う。またＩＤタグは記憶部を有すると共に無線通信でリーダライタと情報の読み出し、書き込みが行える公知のものである。ＩＤタグの記憶部には書換不可能でユニークなパレット識別情報が予め記憶されている。
【０００７】
本発明に用いるシステムはパレット１に設置したＩＤタグ２に対して情報の読み込み書き込みを無線で行うリーダライタ１１と接続する出荷者端末１０と、同じくリーダライタ２１と接続する入荷者端末２０とにネットワークを介して接続するサーバ装置３０とからなる。ネットワークとは有線、無線、衛星通信等公知のものである。またサーバ装置３０の機能を出荷者端末１０に持たせることもできる。
【０００８】
まず、出荷者は、出荷時に前記出荷者端末１０から前記サーバ装置３０の記憶部に予め記憶したある荷物情報を読み出し、リーダライタ１１を介して前記パレット１のＩＤタグ２の記憶部に荷物情報を書き込む。荷物情報とは得意先名、品名、数量等である。この操作の後、リーダライタ１１を介してＩＤタグ２の記憶部が記憶するパレット識別情報を読み取り、前記サーバ装置３０の記憶部に前記出荷情報と関連付けて記憶する。この後出荷者は実際に荷物、パレット１を得意先へ輸送する。
【０００９】
一方、入荷者（得意先）は出荷者から輸送されてきた荷物、パレットを入荷する。入荷者は、この時入荷者端末２０を操作し、前記リーダライタ２１を介してパレット１のＩＤタグ２の記憶部が記憶するパレット識別情報と荷物情報を読み取り、前記サーバ装置に送信する。そしてサーバ装置の記憶部が記憶するパレット識別情報と荷物情報と照合し、合致したパレット識別情報、荷物情報と読み出し、入荷者端末２０に表示させ荷物情報、パレット情報を確認する。併せて入荷者端末２０は記憶部に予め記憶してある受取情報「受取」をサーバ装置に送信し、記憶部に前記パレット識別情報、荷物情報と関連付けて記憶さる。
【００１０】
出荷者はパレット回収時に出荷者端末１０でＩＤタグの記憶部が記憶する荷物情報をリーダライタ１１を介して消去すると共にＩＤタグ２の記憶部が記憶するパレット識別情報を読み取り、前記サーバ装置３０の記憶部が記憶するパレット識別情報と照合し、合致する情報に関連付けて記憶していた荷物情報を消去する。その後、出荷者端末１０が記憶するパレット回収情報「回収」をパレット識別情報と関連付けて記憶部に記憶する。そして、またパレットを使用し出荷時に同じ操作を行う。
【００１１】
以上の操作により、出荷者はサーバ装置３０の記憶部に記憶した情報を出荷者端末１０に読み出し表示することで、当該パレットが社内に有るのか、どの得意先に有るのか、また回収が完了しているのか否かは瞬時に確認できる。パレットが未回収の場合は荷物情報に基づく得意先にパレットの返却を要請する。また、出荷者にとって実際に当該荷物とパレットとが運送されたか否かも入荷者自身の操作によって確認することができ、運送作業自体の信頼性も向上できる。
【００１２】
【発明の効果】
本発明パレット管理方法はパレットの所在を出荷者と入荷者の端末を用いて両社で出荷、入荷が確認しあいながら運用できるため、運送の信頼性を両社で確認できる。また、パレット情報と荷物情報とを関連付けた状態で運用するため荷物自体の運送の信頼性も同時に向上させることができる。さらに、パレットに設置したＩＤタグの情報の読み取り、書き込みをリーダライタを用いて行うので煩雑な出荷時、入荷時であっても手間を掛けずに行え、また情報の誤入力も発生せず安定して運用できる。
【図面の簡単な説明】
【図１】本発明の一実施例に係わる構成図である。
【図２】本発明の一実施例に係わるデータ構造図である。
【符号の説明】
１・・・パレット
２・・・ＩＤタグ
１０・・・出荷者端末
２０・・・入荷者端末
１１，２１・・・リーダライタ
３０・・・サーバ装置
【図１】
2004149230.tif 000003
【図２】
2004149230.tif 000004